(57)【要約】【課題】超音波洗浄が可能な内視鏡洗浄消毒装置をローコストに提供する。【解決手段】洗浄槽３１の縁部３１ｇの上下面に、超音波振動子６７、６８を取り付ける。超音波振動子６７は、洗浄槽３１のトップカバー５８が閉じられたときに、トップカバー５８のフランジ部６１に当接して振動を伝達する。超音波振動子６８は、洗浄槽３１を介してトップカバー５８に振動を伝達する。トップカバー５８に伝達された振動は、接液面６５によって洗浄槽３１内の洗浄液１１１に伝達される。超音波振動子６７、６８により振動された洗浄液１１１によって、洗浄槽３１内の内視鏡が超音波洗浄される。【選択図】図４
2009225814.tif 000002
【特許請求の範囲】
【請求項１】
内視鏡を収容する洗浄槽と、
前記洗浄槽の上部の開口を開閉する蓋に設けられ、前記蓋が閉じられているときに前記洗浄槽内に貯えられた液体の液面に接する接液面と、
前記蓋を介して前記洗浄槽内に貯えられている前記液体を振動させる超音波振動子とを備えたことを特徴とする内視鏡洗浄消毒装置。
【請求項２】
前記超音波振動子は、前記洗浄槽の開口外周に設けられた縁部に配置され、前記蓋が閉じられたときに前記蓋の外周に設けられたフランジに当接することを特徴とする請求項１記載の内視鏡洗浄消毒装置。
【発明の詳細な説明】
【技術分野】
【０００１】
本発明は、内視鏡を収容する洗浄槽と、洗浄槽の上部の開口を開閉する蓋とを備えた内視鏡洗浄消毒装置に関する。
【背景技術】
【０００２】
生体の体腔内の検査や治療に使用される医療機器として、内視鏡が知られている。内視鏡は、体腔内に挿入される挿入部を備えている。挿入部は、可撓性を有する棒状体であり、体腔内を撮影する撮影部と、処置具が挿通される鉗子チャンネル等の各種チャンネルを備えている。
【０００３】
内視鏡の洗浄、消毒を効率的に行うため、内視鏡洗浄消毒装置が利用されている。内視鏡洗浄消毒装置は、使用後の内視鏡を金属製の洗浄槽に収容し、洗浄工程、消毒工程等を自動的に行う。洗浄工程は、洗浄槽内に水、洗剤等を供給し、内視鏡の外表面及び各チャンネル内に付着した体液や汚物を洗い流す。消毒工程は、洗浄槽内に貯えられた消毒液中に内視鏡を浸漬させ、洗浄工程で除去されなかった病原菌やウイルスを除去し、または病原性を消失させる。
【０００４】
内視鏡の洗浄に超音波洗浄を用いる内視鏡洗浄消毒装置が知られている（特許文献１参照）。超音波洗浄を行う内視鏡洗浄消毒装置の洗浄槽には、底面に振動板が設けられている。振動板の下面には、複数個の超音波振動子が取り付けられている。洗浄工程では、水と洗剤とが混合された洗浄液を洗浄槽内に貯え、洗浄液中に内視鏡を浸漬させている。その状態で超音波振動子を駆動し、振動板を介して洗浄液を振動させて内視鏡を超音波洗浄している。
【０００５】
内視鏡洗浄消毒装置は、洗浄槽の上部の開口を開閉するトップカバーを備えている。トップカバーは、内視鏡の洗浄、消毒時に閉じられている。洗浄槽内の内視鏡が視認できるように、トップカバーは透明なプラスチックで形成されている。トップカバーには、ノズルカバー部と、接液面とが設けられているものがある。ノズルカバー部は、洗浄槽内に水、洗剤、消毒液等を供給する各ノズルと、洗浄槽の一部とを覆う凹部形状を有している。接液面は、トップカバーが閉じられているときに、洗浄槽内に貯えられた消毒液に接触し、内視鏡とともに消毒される（例えば、特許文献２参照）。
【特許文献１】特許第２６６０１３７号公報
【特許文献２】特許第３２１９７３０号公報
【発明の開示】
【発明が解決しようとする課題】
【０００６】
超音波洗浄に用いられる洗浄槽は、水槽状の洗浄槽本体と、洗浄槽本体の底面となる振動板とから構成されている。振動板は、洗浄槽内に貯えられた液体が洗浄槽本体と洗浄板との継ぎ目から漏れないように、かつ超音波振動子によって振動可能なように洗浄槽本体に取り付けなければならない。そのため、超音波洗浄に用いない洗浄槽に比べて、製造コストが高くなる。
【０００７】
洗浄板を洗浄槽本体に取り付ける際に、漏水防止のため、防水パッキン等を用いることも考えられる。しかし、消毒液の種類（例えば、過酢酸等）、防水パッキンの材質によっては、防水パッキンが消毒液により劣化することが考えられる。
【０００８】
振動板は、洗浄槽本体と同じ金属で形成されている。また、漏水を防止するため、振動板は洗浄槽本体に複数本のネジでしっかりと固着されている。そのため、振動板を振動させるには、多数の超音波振動子が必要となる。
【０００９】
本発明の目的は、超音波洗浄が可能な内視鏡洗浄消毒装置をローコストに提供することにある。
【課題を解決するための手段】
【００１０】
本発明の内視鏡洗浄消毒装置は、内視鏡を収容する洗浄槽と、洗浄槽の上部の開口を開閉する蓋とを備えている。蓋には、閉じられているときに洗浄槽内に貯えられた液体の液面に接する接液面が設けられている。超音波振動子は、蓋を介して液体を振動させる。
【００１１】
超音波振動子は、洗浄槽の開口外周に設けられた縁部に配置されている。蓋が閉じられたときに、蓋の外周に設けられたフランジに超音波振動子を当接させている。
【発明の効果】
【００１２】
本発明によれば、洗浄槽の底面に振動板を設ける必要がないので、洗浄槽のコストダウンが可能である。また、振動板からの漏水を防止する防水パッキンも必要ないので、防水パッキンに起因して洗浄槽の耐久性が低下することもない。蓋は、振動板よりも軽量であり、かつ開閉自在に設けられているので、振動板を振動させる場合よりも少ない数の超音波振動子で液体を振動させることができる。
【発明を実施するための最良の形態】
【００１３】
図１に示す内視鏡１０は、本発明の内視鏡洗浄消毒装置によって洗浄、消毒される内視鏡の一例である。内視鏡１０は、生体の体腔内に挿入される挿入部１１と、挿入部１１を操作する操作部１２とを備えている。
【００１４】
挿入部１１は、断面が円形の棒状体であり、可撓性を有している。挿入部１１の先端には、体腔内を照明する照明部と、体腔内を撮影する撮影部（図示せず）とが設けられている。挿入部１１内には、挿入部１１の先端から一端が露呈されている送気・送水チャンネル１５、及び鉗子チャンネル１６が設けられている。鉗子チャンネル１６には、吸引チャンネル１７が接続されている。
【００１５】
操作部１２には、鉗子口２０、送気・送水ボタン２１、吸引ボタン２２が設けられている。鉗子口２０には、使用時に取り外される鉗子口キャップ２３が嵌合されている。送気・送水ボタン２１及び吸引ボタン２２は、装着口１２ａ，１２ｂに着脱自在に取り付けられている。鉗子口キャップ２３、送気・送水ボタン２１及び吸引ボタン２２は、内視鏡１０の洗浄時に操作部１２から取り外される。
【００１６】
操作部１２に接続されたユニバーサルコード２５及びコネクタ部２６内には、送気・送水チャンネル１５及び吸引チャンネル１７と、照明部及び撮影部の配線が組み込まれている。コネクタ部２６には、配線を光源装置やビデオプロセッサに接続する接点部が設けられている。内視鏡１０の洗浄時には、コネクタ部２６の接点部を隠して防水する防水キャップ２７（図３参照）が装着される。
【００１７】
図２に示す内視鏡洗浄消毒装置（以下、装置と呼ぶ）２８は、使用後の内視鏡１０を収容して洗浄、消毒する装置である。装置２８は、箱状の装置本体３０を備えている。装置本体３０の上面には、使用後の内視鏡１０が収容される洗浄槽３１が設けられている。洗浄槽３１は、上部が開放された水槽であり、例えばステンレス等の耐熱性、耐蝕性等に優れた金属板で形成されている。
【００１８】
装置本体３０の上面手前には、操作パネル３３、及び表示パネル３４が配されている。操作パネル３３は、内視鏡１０の洗浄、消毒に関する各種設定や、洗浄及び消毒の開始または停止等を指示するための多数のボタンからなる。表示パネル３４には、例えば液晶ディスプレイ（ＬＣＤ）が用いられ、各種設定画面、各工程の残り時間、トラブル発生時の警告メッセージ等が表示される。
【００１９】
図３に示すように、洗浄槽３１の角部に設けられた傾斜部３１ｂには、供給ポート３６が設けられている。供給ポート３６は、給水ノズル３７、洗剤供給ノズル３８、消毒液供給ノズル３９から構成されている。給水ノズル３７は、洗浄槽３１の上方から水を吐出して洗浄槽３１内に供給している。洗剤供給ノズル３８は、洗浄槽３１の上方から洗剤（例えば、液状酵素洗剤等）を吐出して洗浄槽３１内に供給している。消毒液供給ノズル３９は、洗浄槽３１の上方から消毒液（例えば、グルタールアルデヒトや過酢酸、オルトフタルアルデヒト等）を吐出して洗浄槽３１内に供給している。
【００２０】
各ノズル３７〜３９は、例えば、円弧状に屈曲された金属製のパイプからなる。各ノズル３７〜３９の先端の吐出口は、洗浄槽３１の上方に配され、洗浄槽３１内に向けられている。これは、洗浄槽３１内に貯えられた液体がノズル内に逆流するのを防止するためである。
【００２１】
洗浄槽３１の内側面３１ｃには、チャンネル洗浄ポート４１が設けられている。チャンネル洗浄ポート４１は、内視鏡１０の送気・送水チャンネル１５、鉗子チャンネル１６及び吸引チャンネル１７内の洗浄、消毒に用いられる。チャンネル洗浄ポート４１には、送気・送水チャンネル用カプラ４２、吸引チャンネル用カプラ４３、鉗子チャンネル用カプラ４４が設けられている。
【００２２】
洗浄槽３１に収容された内視鏡１０は、柔軟性を有するチューブ４６〜４８によって、装着口１２ａ，１２ｂ及び鉗子口２０と、各カプラ４２〜４４とが接続される。各カプラ４２〜４４からは、水、洗浄液、消毒液、アルコール、及び圧縮エア等の気体及び液体が、送気・送水チャンネル１５、鉗子チャンネル１６及び吸引チャンネル１７内に供給される。
【００２３】
洗浄槽３１の内側面３１ｄには、内視鏡１０の気密試験に用いられる気密試験ポート５０が設けられている。気密試験ポート５０には、圧縮エアを供給するチューブカプラ５０ａが設けられている。チューブカプラ５０ａには、柔軟性を有するチューブが装着される。チューブは、コネクタ部２６に装着された防水キャップ２７に接続される。内側面３１ｄの近傍には、液面センサ５１が設けられている。液面センサ５１は、洗浄槽３１内に貯えられた液体の液面位置を検出する。
【００２４】
洗浄槽３１の底面３１ｅには、小物洗浄かご５３が取り付けられている。小物洗浄かご５３は、例えば上部が開口された円形のかごであり、内視鏡１０の操作部１２から取り外された送気・送水ボタン２１、吸引ボタン２２、鉗子口キャップ２３等の小物部品が収容される。また、底面３１ｅの角部には、廃液口５４が設けられている。廃液口５４は、洗浄槽３１から使用済みの水、洗浄液、消毒液を排出する。内側面３１ｆには、洗浄槽３１の内外を通気する通気孔５５が設けられている。
【００２５】
装置本体３０の上面には、洗浄槽３１の上部の開口３１ａを開閉するトップカバー５８が設けられている。トップカバー５８は、例えば透明なプラスチックで形成された矩形の板状体であり、装置本体３０の上面に設けられたヒンジ５９に一辺が軸支されている。詳しくは図示しないが、トップカバー５８には、閉じ位置でロックするためのロック機構が設けられている。
【００２６】
トップカバー５８の外周に設けられたフランジ部６１には、ゴムやエラストマー等で形成された防水パッキン６２が設けられている。防水パッキン６２は、トップカバー５８が閉じられたときに洗浄槽３１の上面外周に設けられた縁部３１ｇに当接し、洗浄槽３１内を密閉する。
【００２７】
トップカバー５８には、ノズルカバー部６４と接液面６５とが設けられている。ノズルカバー部６４は、トップカバー５８の外面側に向けて膨出された凹状部である。図４に示すように、ノズルカバー部６４は、供給ポート３６の各ノズル３７〜３９の上方と、洗浄槽３１の一部とを覆う。洗浄槽３１の一部とは、供給ポート３６の各ノズル３７〜３９から洗浄槽３１内に液体が吐出される範囲である。
【００２８】
図４には図示していないが、ノズルカバー部６４は、液面センサ５１の先端部の上方も覆っている。液面センサ５１は、洗浄槽３１に貯えられた液体の液面を検出できるように、先端部が洗浄槽３１の上面よりも高い位置に配置されているからである。
【００２９】
接液面６５は、トップカバー５８の厚み方向に突出された平板状部である。接液面６５は、トップカバー５８が閉じられたときに、ノズルカバー部６４により覆われる範囲を除いて、洗浄槽３１の開口３１ａ全体に嵌合する。水及び消毒液は、液面が接液面６５に接するように、洗浄槽３１内に供給される。
【００３０】
図４に示すように、洗浄槽３１の縁部３１ｇには、装置本体３０の手前側の上下面に、超音波振動子６７、６８が取り付けられている。超音波振動子６７は、トップカバー５８のフランジ部６１に当接して、トップカバー５８に振動を直接伝達する。超音波振動子６７は、トップカバー５８が閉じられたときにフランジ部６１に当接する薄型のものであり、例えば圧電セラミックス等が用いられている。
【００３１】
超音波振動子６８は、洗浄槽３１の縁部３１ｇを介してトップカバー５８に振動を伝達する。超音波振動子６８は、剛性の高い洗浄槽３１を介して振動を伝達するので、超音波振動子６７よりも高出力なものが用いられる。超音波振動子６７には、例えば、ランジュバン型振動子を用いることが好ましい。
【００３２】
図５は、装置本体３０内の配管系統を示している。洗浄槽３１の下面には、ラバーヒータ７０が取り付けられている。ラバーヒータ７０は、洗浄槽３１を介して、洗浄槽３１内に貯えられた洗浄液または消毒液を加熱する。洗浄槽３１内には、供給ポート３６等の他に、洗浄液または消毒液の温度を計測する温度センサ（ＴＥ）７１が設けられている。
【００３３】
給水ノズル３７には、水、洗浄液、消毒液が流される給液路７３が接続されている。給液路７３の他端は、電動三方弁７４の一端に接続されている。電動三方弁７４の他端には、給水路７５が接続されている。給水路７５は、装置本体３０の外部に露呈されて水道水の蛇口に接続されている。
【００３４】
給水路７５には、蛇口に接続される側から電磁弁７７、ウォータフィルタ（以下、ＷＦと省略する）７８が設けられている。電磁弁７７は、給水路７５に対する水道水の供給／停止を切り換える。ＷＦ７８は、水道水に含まれる異物や細菌を捕捉する。電動三方弁７４は、洗浄槽３１内に水を供給する際に、給液路７３と給水路７５とを接続する。
【００３５】
洗剤供給ノズル３８には、洗剤供給路８０が接続されている。洗剤供給路８０の他端は、洗剤８１が貯えられた洗剤タンク８２に接続されている。洗剤供給路８０には、ウォータポンプ（以下、ＷＰと省略する）８３が設けられている。ＷＰ８３は、洗剤タンク８２内の洗剤８１を吸引して、洗剤供給ノズル３８から吐出させる。
【００３６】
消毒液供給ノズル３９には、消毒液供給路８５が接続されている。消毒液供給路８５の他端は、消毒液８６が貯えられた消毒液タンク８７に接続されている。消毒液供給路８５には、ＷＰ８８が設けられている。ＷＰ８８は、消毒液タンク８７内の消毒液８６を吸引して消毒液供給ノズル３９から吐出させる。消毒液タンク８７には、使用済みの消毒液８６を排出する排出通路８７ａが設けられている。
【００３７】
廃液口５４には、下流側で分岐された廃液路８９が接続されている。分岐された一方の第１廃液路９０は、内視鏡１０の洗浄で使用された洗浄液、水をＷＰ９１によって装置本体３０の外に排出する。他方の第２廃液路９２は、内視鏡１０の消毒に使用された消毒液８６を消毒液タンク８７に戻す。消毒液８６は、数回の使用では消毒効果が消失しないので、消毒液タンク８７に戻されて繰り返し使用される。第１廃液路９０及び第２廃液路９２は、各々に設けられた電磁弁９３、９４の開閉により切り換えられる。
【００３８】
廃液口５４には、洗浄槽３１に貯えられた洗浄液、消毒液８６、水を循環させる循環路９６も接続されている。循環路９６には、洗浄槽３１内の液体を吸引するＷＰ９７が設けられている。循環路９６は、ＷＰ９７の下流側で第１循環路９８と第２循環路９９とに分岐されている。第１循環路９８は、電動三方弁７４に接続されている。電動三方弁７４は、洗浄槽３１内に貯えられた水、洗浄液、消毒液８６を循環させる際に、給液路７３と第１循環路９８とを接続する。
【００３９】
第２循環路９９は、上述したチャンネル洗浄ポート４１の各カプラ４２〜４４に接続されている。第２循環路９９に流された洗浄液、消毒液８６、水は、チャンネル洗浄ポート４１の各カプラ４２〜４４、チューブ４６〜４８を経て、送気、送水チャンネル１５、鉗子チャンネル１６及び吸引チャンネル１７を洗浄、消毒する。
【００４０】
チャンネル洗浄ポート４１には、第２循環路９９の他、各チャンネル内に送風して水滴を除去する送気路、各チャンネル内にアルコールを流して乾燥させるアルコール供給路等が接続されている。なお、図面の煩雑化を防ぐため、図５には、送気路、アルコール供給路等を図示していない。
【００４１】
図６に示すように、装置２８は、装置全体を統括的に制御するＣＰＵ１０１と、制御プログラムや各種データが記憶されたＲＯＭ１０２と、ＲＯＭ１０２から読み出された制御プログラムの実行領域であるＲＡＭ１０３とを備えている。ＣＰＵ１０１には、表示パネル３４を駆動するＬＣＤドライバ１０４、各電磁弁を駆動する弁ドライバ１０５等が接続されている。また、電動三方弁７４を駆動するモータドライバ１０６、各ＷＰを駆動するＷＰドライバ１０７、ラバーヒータ７０を駆動するヒータドライバ１０８もＣＰＵ１０１に接続されている。更に、超音波振動子６７、６８を駆動する振動子ドライバ１０９もＣＰＵ１０１に接続されている。
【００４２】
図７のフローチャートを参照して、内視鏡洗浄消毒装置２８による内視鏡１０の洗浄、消毒工程を説明する。内視鏡１０は、検査終了後すぐにシンク等で水洗い（予備洗浄）され、付着している汚物等が乾燥して落ちにくくなる前に洗い流される。なお、予備洗浄後すぐに内視鏡１０の洗浄を行えるように、装置２８の電源をオンしておくことが好ましい。
【００４３】
内視鏡１０の操作部１２から送気・送水ボタン２１、吸引ボタン２２、鉗子口キャップ２３等の小物部品が取り外され、小物洗浄かご５３に収容される。操作部１２は、装着口１２ａ，１２ｂがチャンネル洗浄ポート４１に対面するように洗浄槽３１内に収容される。挿入部１１は、環状に巻かれて小物洗浄かご５３の外周に載置される。コネクタ部２６は、ユニバーサルコード２５が屈曲されて気密試験ポート５０の近傍に配置される。コネクタ部２６には、防水キャップ２７が装着される。
【００４４】
チャンネル洗浄ポート４１の送気・送水チャンネル用カプラ４２、吸引チャンネル用カプラ４３、鉗子チャンネル用カプラ４４には、チューブ４６〜４８がそれぞれ取り付けられる。チューブ４６〜４８は、内視鏡１０の送気・送水ボタンの装着口１２ａ、吸引ボタンの装着口１２ｂ、鉗子口２０にそれぞれ接続される。
【００４５】
内視鏡１０の洗浄槽３１への収容後、トップカバー５８が閉じられる。ノズルカバー部６４は、供給ポート３６及び液面センサ５１の上方を覆う。接液面６５は、洗浄槽３１の開口３１ａ全体に嵌合する。超音波振動子６７は、トップカバー５８のフランジ部６１に当接する。
【００４６】
操作パネル３３が操作され、内視鏡１０の洗浄処理が開始される。ＣＰＵ１０１は、弁ドライバ１０５を制御して電磁弁７７を開く。また、モータドライバ１０６を制御して電動三方弁７４切り換え、給液路７３と給水路７５とを接続させる。水道管からの水圧によって給水路７５を流れた水は、ＷＦ７８により清浄化される。給水路７５を経て給液路７３に流れた水は、給水ノズル３７から洗浄槽３１内に噴射される。
【００４７】
ＣＰＵ１０１は、洗浄槽３１への給水開始と同時にＷＰ８３を駆動させ、洗剤供給ノズル３８から所定量の洗剤８１を洗浄槽３１内に吐出させる。これにより、洗浄槽３１内には、水と洗剤８１とが混合された洗浄液が生成される。洗浄槽３１内の洗浄液の量は、液面センサ５１により検出される。ＣＰＵ１０１は、洗浄液の液面が所定位置に達したときに電磁弁７７を閉じて給水を停止させる。
【００４８】
ＣＰＵ１０１は、ヒータドライバ１０８を制御してラバーヒータ７０を駆動させる。ラバーヒータ７０の熱は、洗浄槽３１を介して洗浄液に伝達される。洗浄液の温度は、温度センサ７１により検出される。ＣＰＵ１０１は、洗浄液が所定の温度を保つようにラバーヒータ７０を制御する。
【００４９】
ＣＰＵ１０１は、電動三方弁７４を切り換えて給液路７３と第１循環路９８とを接続し、ＷＰ９７を駆動させる。廃液口５４に排出された洗浄液は、循環路９６、第１循環路９８、給液路７３を流れ、給水ノズル３７によって内視鏡１０に向けて噴射される。内視鏡１０の外表面に付着した大きな汚れ、軟らかい汚れ、軽い汚れ等は、噴射された洗浄液の衝撃と、循環時の渦流によって洗い流される。洗浄液の循環により洗剤の濃度勾配が平準化されるため、洗浄槽３１内の全域で同じ洗浄力を得ることができる。
【００５０】
なお、洗浄槽３１内に貯えられる洗浄液の量は、洗浄槽３１内の洗浄液を循環路９６等で循環させて給水ノズル３７から内視鏡１０に向けて噴射するのに必要な量であればよい。洗浄液の量が多すぎると、給水ノズル３７から噴射された洗浄液が内視鏡１０に吹きつけられなくなる。また、洗浄液の量が少なすぎると、洗浄液の渦流による洗浄効果が弱くなる。
【００５１】
循環路９６を流れた洗浄液は、第２循環路９９、チャンネル洗浄ポート４１等を経て内視鏡１０内に供給される。内視鏡１０内に供給された洗浄液は、送気・送水チャンネル１５、鉗子チャンネル１６及び吸引チャンネル１７内を洗浄する。
【００５２】
ＣＰＵ１０１は、所定時間の経過後にＷＰ９７を停止させる。ＣＰＵ１０１は、電磁弁７７を開き、ＷＰ８３を駆動させ、洗浄槽３１内に水と洗剤８１とを追加する。これにより、接液面６５には、水と洗剤８１とが混合された洗浄液１１１が接触する。水の供給完了後、ＣＰＵ１０１は、振動子ドライバ１０９により超音波振動子６７、６８を駆動させる。
【００５３】
超音波振動子６７の振動は、トップカバー５８に直接、伝達される。超音波振動子６８の振動は、洗浄槽３１を介してトップカバー５８に伝達される。トップカバー５８の振動は、接液面６５により洗浄液１１１に伝達される。洗浄液１１１の振動により、内視鏡１０に付着した硬い汚れ、内視鏡１０の複雑な形状部分に付着した汚れ等が落とされる。
【００５４】
なお、トップカバー５８は、従来の内視鏡洗浄消毒装置で用いられていた金属製の振動板に比べて軽い。また、超音波振動子６７、６８の振動は、トップカバー５８のヒンジ５９が設けられている辺と反対側の自由度が高い辺に伝達される。これにより、２つの超音波振動子６７、６８でもトップカバー５８を適切に振動させ、効果の高い超音波洗浄を行うことができる。
【００５５】
ＣＰＵ１０１は、所定時間の経過後に電磁弁９３を開いてＷＰ９１を駆動させる。洗浄に使用された洗浄液１１１は、廃液口５４、廃液路８９、第１廃液路９０を流れて装置本体３０の外に排出される。なお、循環路９６等の内部に洗浄液１１１が残らないようにするため、ＷＰ９１と同時にＷＰ９７を駆動させるのが好ましい。
【００５６】
洗浄液１１１を内視鏡１０から除去するため、水によるすすぎが実施される。ＣＰＵ１０１は、洗浄槽３１内に所定量の水を供給し、この水を循環させて内視鏡１０の外表面と各チャンネル内に付着した洗浄液１１１を除去する。水の供給、すすぎ後の水の排出は、洗浄時と同じなので詳しい説明は省略する。
【００５７】
ＣＰＵ１０１は、ＷＰ８８を駆動させ、洗浄槽３１内に消毒液８６を供給する。ＣＰＵ１０１は、液面センサ５１により洗浄槽３１内の消毒液８６の液面位置を検出する。ＣＰＵ１０１は、消毒液８６の液面位置がトップカバー５８の接液面６５に接触する位置になったときに、ＷＰ８８を停止させる。
【００５８】
ＣＰＵ１０１は、ラバーヒータ７０及び温度センサ７１を用いて消毒液８６を所定の温度まで加熱する。ＣＰＵ１０１は、消毒液８６の加熱後、ＷＰ９７を駆動させ、洗浄槽３１内と、各チャンネル内で消毒液８６を循環させる。内視鏡１０の外表面と各チャンネルは、消毒液８６に浸漬されて消毒される。ＣＰＵ１０１は、所定時間の経過後に電磁弁９４を開き、消毒液８６を消毒液タンク８７に戻す。
【００５９】
消毒終了後、内視鏡１０から消毒液８６を除去するため、すすぎが行われる。ＣＰＵ１０１は、すすぎの終了後に内視鏡１０の各チャンネル内に送風して水滴を除去し、次いで、各チャンネル内にアルコールを流して乾燥させる。
【００６０】
内視鏡１０の洗浄、消毒の完了後、トップカバー５８が開放されて洗浄槽３１から内視鏡１０が取り出される。トップカバー５８の接液面６５は、内視鏡１０とともに洗浄、消毒されているので、すすぎ時に接液面６５に付着した水滴により内視鏡１０が再び汚染されることはない。
【００６１】
上記実施形態では、洗浄工程時にのみ超音波振動子６７、６８を駆動させたが、消毒工程時にも振動させてよい。消毒液８６による消毒とともに、超音波洗浄を行うことができる。また、超音波振動子の位置、数等は本実施形態に限定されるものではなく、適宜変更可能であり、トップカバー５８に超音波振動子を取り付けることも本発明に含まれる。また、トップカバー５８の一部、すなわち接液面６５のみが洗浄槽３１内の液体に接する内視鏡洗浄消毒装置を例に説明したが、トップカバーの内面全体が洗浄槽３１内の液体に接する内視鏡洗浄消毒装置にも本発明は適用可能である。
【図面の簡単な説明】
【００６２】
【図１】内視鏡の構成例を示す平面図である。
【図２】本発明の内視鏡洗浄消毒装置の外観形状を示す斜視図である。
【図３】洗浄槽の構成を示す平面図である。
【図４】トップカバーを閉じたときの洗浄槽を示す断面図である
【図５】装置本体内の概略的な配管系統を示す配管図である。
【図６】内視鏡洗浄消毒装置の電気的構成の一部を示すブロック図である。
【図７】内視鏡の洗浄、消毒手順を示すフローチャートである。
【符号の説明】
【００６３】
１０  内視鏡
１１  挿入部
１２  操作部
２８  内視鏡洗浄消毒装置
３０  装置本体
３１  洗浄槽
３１ａ  開口
３６  供給ポート
５８  トップカバー
６３  接液面
６７，６８  超音波振動子
８６  消毒液
１１５  洗浄液
【図１】
2009225814.tif 000003
【図２】
2009225814.tif 000004
【図３】
2009225814.tif 000005
【図４】
2009225814.tif 000006
【図５】
2009225814.tif 000007
【図６】
2009225814.tif 000008
【図７】
2009225814.tif 000009